(57)【要約】【課題】  結露水滴が多量であっても全量を排水することができる窓ガラス結露水滴の排水用パネル部材を提供すること。【解決手段】  窓ガラス100の内側（内気側）に粘着されるパネル部材1であって、このパネル部材1は硬質合成樹脂材から成る板状パネル体2を含み、この板状パネル体2は、相対向するパネル面部3,4の両側面部5,6と底面部8の三辺部は閉塞されて、上端の一辺部のみが開口され、かつ底面部8には排水側にやや傾斜した傾斜面流路9が形成され、前記相対向するパネル面部3、4間の縦方向には、適宜の間隔で、かつ前記傾斜面流路9のやや上方までの縦方向仕切り部10を介して中空部11が形成され、結露水滴は開口部の上方より前記各中空部11内に滴下して傾斜面流路9を流れ、かつ排水孔12と連結の排水管13を通して外部に排水される。【選択図】    図1
2005232673.tif 000002
【特許請求の範囲】
【請求項１】
窓ガラスの内側（内気側）に粘着されて、結露水滴を中空状のパネル体の内部に滴下させ、かつ排水管を通して外部に排水するためのパネル部材であって、
このパネル部材は透明性に優れたポリカーボネイト等の硬質合成樹脂材から成る板状パネル体を含み、この板状パネル体は、相対向するパネル面部の両側面部と底面部の三辺部は閉塞されて、上端の一辺部のみが開口され、かつ底面部には排水側にやや傾斜した傾斜面流路が形成され、前記相対向するパネル面部間の縦方向には、適宜の間隔で、かつ前記傾斜面流路のやや上方までの縦方向仕切り部を介して中空部が形成され、更に排水側における側面部には排水孔が明けられ、この排水孔には排水管が連結され、結露水滴が前記開口部の上方より前記各中空部内に滴下して傾斜面流路を流れ、かつ前記排水管を通して外部に排水される構成を特徴とする窓ガラス結露水滴の排水用パネル部材。
【請求項２】
前記板状パネル体の正面パネル面に、意匠または着色が施されている請求項1の窓ガラス結露水滴の排水用パネル部材。
【発明の詳細な説明】
【技術分野】
【０００１】
本発明は、窓ガラスの内側（内気側）に取り付けられて、窓ガラスの結露した水滴を一箇所に集めて外部に排水するためのパネル部材に関するものである。
【背景技術】
【０００２】
従来、窓ガラスの結露を防止する手段としては、例えば特開平6−210804号公報に記載のものが知られている（特許文献1参照）。
【０００３】
この特開平6−210804号公報に記載の手段は、ガラス繊維や不織布等の基材に吸水性ポリマーを重合固着させて構成の結露防止シートを窓ガラスに取り付け、吸水性ポリマーにより水や水蒸気を吸収するようにしたものである。
【０００４】
ところで、この結露防止シートは、これを窓ガラスに取り付けた場合には、窓ガラスが遮蔽状態となって室内を暗くして雰囲気を損ない、外観体裁上において好ましいものではない。
【０００５】
また、結露防止シートにおける吸水性ポリマーの吸水能力には限界があり、この限界を超えた水量の場合には、吸水性ポリマーの脱落が起こる。
【特許文献１】特開平6−210804号公報
【発明の開示】
【発明が解決しようとする課題】
【０００６】
本発明が解決しようとする問題点は、窓ガラスに取り付けた場合において、窓ガラスを遮蔽して窓ガラスの本来的機能を損なう点であり、また、吸水性ポリマーの吸水量には限界があって、多量の結露水滴を吸水できないという点である。
【０００７】
したがって、本発明の目的は、窓ガラスに取り付けた場合において、窓ガラスと一体感を有して違和感がなく、また、結露水滴が多量であっても全量を排水することができて、何ら問題のない窓ガラス結露水滴の排水用パネル部材を提供することにある。
【課題を解決するための手段】
【０００８】
この目的のため、本発明の請求項1に記載の窓ガラス結露水滴の排水用パネル部材は、窓ガラスの内側（内気側）に粘着されて、結露水滴を中空状のパネル体の内部に滴下させ、かつ排水管を通して外部に排水するためのパネル部材であって、このパネル部材は透明性に優れたポリカーボネイト等の硬質合成樹脂材から成る板状パネル体を含み、この板状パネル体は、相対向するパネル面部の両側面部と底面部の三辺部は閉塞されて、上端の一辺部のみが開口され、かつ底面部には排水側にやや傾斜した傾斜面流路が形成され、前記相対向するパネル面部間の縦方向には、適宜の間隔で、かつ前記傾斜面流路のやや上方までの縦方向仕切り部を介して中空部が形成され、更に排水側における側面部には排水孔が明けられ、この排水孔には排水管が連結され、結露水滴が前記開口部の上方より前記各中空部内に滴下して傾斜面流路を流れ、かつ前記排水管を通して外部に排水される構成を特徴とするものである。
【０００９】
本発明の請求項2に記載の窓ガラス結露水滴の排水用パネル部材は、板状パネル体の正面パネル面に、意匠または着色が施されていることを特徴とするものである。
【発明の効果】
【００１０】
本発明に係る窓ガラス結露水滴の排水用パネル部材によれば、全体が透明性に優れたポリカーボネイト等の硬質合成樹脂材から成る中空状のパネル体であるから、従来のような室内を暗くして雰囲気を損なうということはなくなって違和感がないものである。
【００１１】
また、従来のような吸水性ポリマーを使用する必要がないから、結露水滴量が多くても完全に排水することができ、桟の汚れやカビの発生等を防いで室内等の環境向上に寄与し得る。
【００１２】
また、板状パネル体の正面パネル面に、意匠または着色が施されていることにより、装飾性に優れ、室内雰囲気を良好なものとし、商品価値を高め得るものである。
【発明を実施するための最良の形態】
【００１３】
以下に図面を参照して、本願に係る発明を実施するための最良の形態についてその作用と共に説明する。
【００１４】
図１は、本発明に係る窓ガラス結露水滴の排水用パネル部材の一例を示す一部省略の正面図、図2は、一部省略の拡大断面図、図3は、図1の3−3線に沿った部分拡大断面図である。
【００１５】
図1に示されているように、本窓ガラス結露水滴の排水用パネル部材1は、窓ガラス100の内側（内気側）に、例えば両面粘着テープ14を介して粘着されて、結露水滴を中空板状のパネル体の内部に滴下させ、かつ排水管を通して外部に排水するものである。
【００１６】
パネル体2は、透明性・耐候性等に優れたポリカーボネイト等の硬質合成樹脂材から成る板状体であって、その大きさは取り付けられる窓ガラス100と略同等の横幅を有し、縦方向の長さは、窓ガラス100の下部に取り付けられるため、窓ガラス100の縦方向長さよりも短くなっている。
【００１７】
パネル体2は、その相対向するパネル面部3、4の両側面部5、6と底面部8の三辺部は閉塞されて、上端の一辺部のみが開口され、かつ底面部8には排水側にやや傾斜した傾斜面流路9が形成され、相対向するパネル面部3、4間の縦方向には、適宜の間隔で、かつ傾斜面流路9のやや上方までの適宜数の縦方向仕切り部10を介して中空部11が形成され、更に排水側における側面部6には排水孔12が明けられ、この排水孔12には細いビニール排水管13が連結されている。
【００１８】
なお、パネル体2は、図示の実施例においては横長四角形に形成されているが、これに限定されずに開口側の上端辺を、例えば波形等の曲線状に形成しても良く、また、特に図示しないが、パネル体2における窓ガラス100との粘着側のパネル面部4の開口上端縁内側を面取りした薄肉状に形成して、結露水滴の滴下を良好なるようにしてもよい。
【００１９】
また、パネル体2の正面パネル面部3の全面、または一部分に意匠や着色を施しても良い。
【００２０】
このように構成されたパネル部材1は、窓ガラス100の内側（内気側）の下部位置に、略横幅いっぱいに両面粘着テープ14を介して粘着される。
【００２１】
この取り付け状態において、窓ガラス100の内側（内気側）に生じた結露水滴は、図1及び図2に示されているように、上端開口部から各中空部11内に滴下し、傾斜面流路9を流れて排水孔12から排水管13を通って直接外部に、または室内に容易された別の容器等に排水される。
【図面の簡単な説明】
【００２２】
【図１】本発明に係る窓ガラス結露水滴の排水用パネル部材の一例を示す一部省略の正面図である。
【図２】一部省略の拡大断面図である。
【図３】図1の3−3線に沿った部分拡大断面図である。
【符号の説明】
【００２３】
1    本排水用パネル部材
2    パネル体
3、4    パネル面部
5、6    両側面部
8    底面部
9    傾斜面流路
10    縦方向仕切り部
11    中空部
12    排水孔
13    排水管
14    両面粘着テープ
100    窓ガラス    
【図１】
2005232673.tif 000003
【図２】
2005232673.tif 000004
【図３】
2005232673.tif 000005